【手続補正書】
【提出日】平成16年9月24日(2004.9.24)
【手続補正１】
【補正対象書類名】明細書
【補正対象項目名】発明の名称
【補正方法】変更
【補正の内容】
【発明の名称】電子機器
【手続補正２】
【補正対象書類名】明細書
【補正対象項目名】特許請求の範囲
【補正方法】変更
【補正の内容】
【特許請求の範囲】
【請求項１】
所定の通信プロトコルに基づいて外部の通信先に対して自己の装置ＩＤを送信可能な電子機器であって、
外部から書換可能な第１ＩＤを記憶する第１ＩＤ記憶手段と、
所定の第２ＩＤを記憶する第２ＩＤ記憶手段と、
前記第１ＩＤおよび前記第２ＩＤのいずれかを読出ＩＤとして選択する読出ＩＤ選択手段と、
前記読出ＩＤを前記装置ＩＤとして送信するＩＤ送信手段と、
前記第１ＩＤとして書き込むＩＤを外部から書込ＩＤとして入力する書込ＩＤ入力手段と、
前記書込ＩＤのＩＤ書込指示を外部から入力するＩＤ書込指示入力手段と、
前記ＩＤ書込指示に応じて前記書込ＩＤを書き込む書込ＩＤ書込手段と、
を備えたことを特徴とする電子機器。
【請求項２】
前記第２ＩＤはテストまたはメンテナンスを行うための装置ＩＤであることを特徴とする、請求項１に記載の電子機器。
【請求項３】
前記読出ＩＤとして前記第２ＩＤが選択されているときに、前記ＩＤ書込指示を有効とし、それ以外では無効化するＩＤ書込認否手段をさらに備えたことを特徴とする、請求項１または２に記載の電子機器。
【請求項４】
前記読出ＩＤ選択手段は、複数の動作モードのうちの前記第１ＩＤに対応する第１動作モードおよび前記第２ＩＤに対応する第２動作モードのいずれかを現動作モードとして設定する現動作モード設定手段を兼ねることを特徴とする、請求項１ないし３のいずれかに記載の電子機器。
【請求項５】
前記読出ＩＤ選択手段は、起動条件に基づいて起動時の動作モードおよび読出ＩＤを決定する起動時動作決定手段を有することを特徴とする、請求項４に記載の電子機器。
【請求項６】
前記起動条件には、電源投入時のキー操作の条件が含まれることを特徴とする、請求項５に記載の電子機器。
【請求項７】
前記通信先から指定ＩＤを受信する指定ＩＤ受信手段をさらに備え、
前記読出ＩＤ選択手段は、
受信した前記指定ＩＤに基づいて指定ＩＤ受信時以後の動作モードおよび読出ＩＤを決定する指定ＩＤ受信後動作決定手段を有することを特徴とする、請求項４ないし６のいずれかに記載の電子機器。
【手続補正３】
【補正対象書類名】明細書
【補正対象項目名】０００１
【補正方法】変更
【補正の内容】
【０００１】
【発明の属する技術分野】
本発明は、装置ＩＤを有して外部の装置と通信が可能な電子機器に関する。
【手続補正４】
【補正対象書類名】明細書
【補正対象項目名】０００４
【補正方法】変更
【補正の内容】
【０００４】
本発明は、読み出すべき装置ＩＤが未書込その他の理由により異常値を示す場合であっても、装置ＩＤを使用すべき通信機能その他のテストを進めることができる電子機器を提供することを目的とする。
【手続補正５】
【補正対象書類名】明細書
【補正対象項目名】０００５
【補正方法】変更
【補正の内容】
【０００５】
【課題を解決するための手段】
本発明の電子機器は、所定の通信プロトコルに基づいて外部の通信先に対して自己の装置ＩＤを送信可能な電子機器であって、外部から書換可能な第１ＩＤを記憶する第１ＩＤ記憶手段と、所定の第２ＩＤを記憶する第２ＩＤ記憶手段と、前記第１ＩＤおよび前記第２ＩＤのいずれかを読出ＩＤとして選択する読出ＩＤ選択手段と、前記読出ＩＤを前記装置ＩＤとして送信するＩＤ送信手段と、前記第１ＩＤとして書き込むＩＤを外部から書込ＩＤとして入力する書込ＩＤ入力手段と、前記書込ＩＤのＩＤ書込指示を外部から入力するＩＤ書込指示入力手段と、前記ＩＤ書込指示に応じて前記書込ＩＤを書き込む書込ＩＤ書込手段と、を備えたことを特徴とする。
【手続補正６】
【補正対象書類名】明細書
【補正対象項目名】０００７
【補正方法】変更
【補正の内容】
【０００７】
また、上述の電子機器において、前記第２ＩＤはテストまたはメンテナンスを行うための装置ＩＤであることが好ましい。
【手続補正７】
【補正対象書類名】明細書
【補正対象項目名】０００９
【補正方法】変更
【補正の内容】
【０００９】
また、上述の各電子機器において、前記読出ＩＤとして前記第２ＩＤが選択されているときに、前記ＩＤ書込指示を有効とし、それ以外では無効化するＩＤ書込認否手段をさらに備えたことが好ましい。
【手続補正８】
【補正対象書類名】明細書
【補正対象項目名】００１１
【補正方法】変更
【補正の内容】
【００１１】
また、上述の各電子機器において、前記読出ＩＤ選択手段は、複数の動作モードのうちの前記第１ＩＤに対応する第１動作モードおよび前記第２ＩＤに対応する第２動作モードのいずれかを現動作モードとして設定する現動作モード設定手段を兼ねることが好ましい。
【手続補正９】
【補正対象書類名】明細書
【補正対象項目名】００１３
【補正方法】変更
【補正の内容】
【００１３】
また、上述の電子機器において、前記読出ＩＤ選択手段は、起動条件に基づいて起動時の動作モードおよび読出ＩＤを決定する起動時動作決定手段を有することが好ましい。
【手続補正１０】
【補正対象書類名】明細書
【補正対象項目名】００１５
【補正方法】変更
【補正の内容】
【００１５】
また、上述の電子機器において、前記起動条件には、電源投入時のキー操作の条件が含まれることが好ましい。
【手続補正１１】
【補正対象書類名】明細書
【補正対象項目名】００１７
【補正方法】変更
【補正の内容】
【００１７】
また、前記読出ＩＤ選択手段が前記現動作モード設定手段を兼ねる上述の各電子機器において、前記通信先から指定ＩＤを受信する指定ＩＤ受信手段をさらに備え、前記読出ＩＤ選択手段は、受信した前記指定ＩＤに基づいて指定ＩＤ受信時以後の動作モードおよび読出ＩＤを決定する指定ＩＤ受信後動作決定手段を有することが好ましい。
【手続補正１２】
【補正対象書類名】明細書
【補正対象項目名】００１９
【補正方法】変更
【補正の内容】
【００１９】
なお、上記電子機器のテスト装置を構成する場合には、上述のいずれかの電子機器と、前記電子機器に前記装置ＩＤとして前記第１ＩＤを送信させる第１ＩＤ送信指示手段と、送信された前記第１ＩＤが正常値か異常値かを判別する異常ＩＤ判別手段と、を備えたことが好ましい。
【手続補正１３】
【補正対象書類名】明細書
【補正対象項目名】００２０
【補正方法】変更
【補正の内容】
【００２０】
また、上記電子機器のテスト方法を実施する場合には、外部から書換可能な第１ＩＤおよび所定の第２ＩＤを記憶し、前記第１ＩＤおよび前記第２ＩＤのいずれかを装置ＩＤとして選択して送信可能で、かつ、前記第１ＩＤとして書き込むＩＤを外部から書込ＩＤとして入力し、ＩＤ書込指示を外部から入力し、それに応じて前記書込ＩＤを書込可能な電子機器について、テストまたはメンテナンスを行う電子機器のテスト方法であって、前記電子機器に前記装置ＩＤとして前記第１ＩＤを送信させる第１ＩＤ送信指示工程と、送信された前記第１ＩＤが正常値か異常値かを判別する異常ＩＤ判別工程と、を備えたことが好ましい。
【手続補正１４】
【補正対象書類名】明細書
【補正対象項目名】００２２
【補正方法】変更
【補正の内容】
【００２２】
また、上述のテスト装置において、送信された前記第１ＩＤが異常値であると判別されたときに、前記電子機器に前記装置ＩＤとして前記第２ＩＤを送信させる第２ＩＤ送信指示手段と、送信された前記第２ＩＤに対応する所定の第２機能テストを行う第２機能テスト手段と、をさらに備えたことが好ましい。
【手続補正１５】
【補正対象書類名】明細書
【補正対象項目名】００２３
【補正方法】変更
【補正の内容】
【００２３】
また、上述のテスト方法において、送信された前記第１ＩＤが異常値であると判別されたときに、前記電子機器に前記装置ＩＤとして前記第２ＩＤを送信させる第２ＩＤ送信指示工程と、送信された前記第２ＩＤに対応する所定の第２機能テストを行う第２機能テスト工程と、をさらに備えたことが好ましい。
【手続補正１６】
【補正対象書類名】明細書
【補正対象項目名】００２５
【補正方法】変更
【補正の内容】
【００２５】
また、上述のテスト装置において、前記第２機能テストには、送信された前記第１ＩＤが正常値であると判別されたときに行う機能テストと同一の機能をテストする第１ＩＤ機能テストが含まれることが好ましい。
【手続補正１７】
【補正対象書類名】明細書
【補正対象項目名】００２６
【補正方法】変更
【補正の内容】
【００２６】
また、上述のテスト方法において、前記第２機能テストには、送信された前記第１ＩＤが正常値であると判別されたときに行う機能テストと同一の機能をテストする第１ＩＤ機能テストが含まれることが好ましい。
【手続補正１８】
【補正対象書類名】明細書
【補正対象項目名】００２８
【補正方法】変更
【補正の内容】
【００２８】
また、上述の各テスト装置において、前記第２機能テストには、前記書込ＩＤを書き込むＩＤ書込機能テストが含まれることが好ましい。
【手続補正１９】
【補正対象書類名】明細書
【補正対象項目名】００２９
【補正方法】変更
【補正の内容】
【００２９】
また、上述の各テスト方法において、前記第２機能テストには、前記書込ＩＤを書き込むＩＤ書込機能テストが含まれることが好ましい。
【手続補正２０】
【補正対象書類名】明細書
【補正対象項目名】００３１
【補正方法】変更
【補正の内容】
【００３１】
また、上述のテスト装置において、前記ＩＤ書込機能テストには、前記第２ＩＤを書込ＩＤとする第２ＩＤ書込機能テストが含まれることが好ましい。
【手続補正２１】
【補正対象書類名】明細書
【補正対象項目名】００３２
【補正方法】変更
【補正の内容】
【００３２】
また、上述のテスト方法において、前記ＩＤ書込機能テストには、前記第２ＩＤを書込ＩＤとする第２ＩＤ書込機能テストが含まれることが好ましい。
【手続補正２２】
【補正対象書類名】明細書
【補正対象項目名】００３４
【補正方法】変更
【補正の内容】
【００３４】
また、前記第２機能テストに前記ＩＤ書込機能テストが含まれる上述の各テスト装置において、前記ＩＤ書込機能テストには、機器毎の個別ＩＤを書込ＩＤとする個別ＩＤ書込機能テストが含まれることが好ましい。
【手続補正２３】
【補正対象書類名】明細書
【補正対象項目名】００３５
【補正方法】変更
【補正の内容】
【００３５】
また、前記第２機能テストに前記ＩＤ書込機能テストが含まれる上述の各テスト方法において、前記ＩＤ書込機能テストには、機器毎の個別ＩＤを書込ＩＤとする個別ＩＤ書込機能テストが含まれることが好ましい。
【手続補正２４】
【補正対象書類名】明細書
【補正対象項目名】００３７
【補正方法】変更
【補正の内容】
【００３７】
また、上述の各テスト装置において、送信された前記第１ＩＤが正常値であると判別されたときに、前記第１ＩＤに対応する所定の第１機能テストを行う第１機能テスト工程をさらに備えたことが好ましい。
【手続補正２５】
【補正対象書類名】明細書
【補正対象項目名】００３８
【補正方法】変更
【補正の内容】
【００３８】
また、上述の各テスト装置において、送信された前記第１ＩＤが正常値であると判別されたときに、前記第１ＩＤに対応する所定の第１機能テストを行う第１機能テスト工程をさらに備えたことが好ましい。